(57)【特許請求の範囲】
【請求項１】
特に食品である製品（１０）を連続的にスライスする、特に高性能のスライサであるスライシング装置であって、
製品のスライスを切り落とすための特に円形刃または鎌様の刃を有する少なくとも１つのスライシングユニット（１８）と、
スライシングユニット（１８）に製品（１０）をマルチトラック式に供給する供給装置（８）と、
少なくとも１つの切り落とされた製品スライスをそれぞれ含むポーション（３８）を移動させる移動装置（３４）と、を備え、
供給装置（８）は、
少なくとも１つの製品（１０）を受け取るように設けられているとともに、全体として補充位置と供給位置との間で調整可能な補充装置（１２）と、
供給方向（Ｚ）から見て補充装置（１２）の下流に接続されるとともに、少なくとも２つの搬送トラック（２２，２６）を有する少なくとも１つの搬送装置（１４）と、
特にほぼ同時に、１つの搬送トラック（２２，２６）における製品スライスの切り落としが中断されるとともに、他の搬送トラック（２２，２６）における製品スライスの切り落としが開始されることにより、ポーション（３８）が連続的に生産されるように、搬送トラック（２２，２６）を互いに独立して制御するよう設けられた制御装置と、を含むことを特徴とするスライシング装置。
【請求項２】
補充装置（１２）は、少なくとも実質的に少なくとも１つの搬送トラック（２２，２６）の幅にわたって延在するとともに、製品（１０）を所定の搬送トラック（２２，２６）まで運ぶように設けられていることを特徴とする請求項１に記載のスライシング装置。
【請求項３】
補充装置（１２）は、少なくとも実質的に全ての搬送トラック（２２，２６）の幅にわたって延在し、製品（１０）を所定の搬送トラック（２２，２６）まで運ぶように設けられていることを特徴とする請求項１または２に記載のスライシング装置。
【請求項４】
補充装置（１２）は、複数の補充トラック（２２’，２６’）を含み、補充トラック（２２’，２６’）の数は、搬送トラック（２２，２６）の数に対応し、補充トラック（２２’，２６’）は特に互いから独立して制御可能であることを特徴とする請求項１〜３のいずれかに記載のスライシング装置。
【請求項５】
補充装置（１２）は、供給方向（Ｚ）に対して横向きに調整可能な単一の補充トラックを含むことを特徴とする請求項１または２に記載のスライシング装置。
【請求項６】
搬送装置（１４）は、摺動面と、受動的な搬送ベルト及び／または能動的な搬送ベルト（１６）と、を含み、製品ホルダ（２８）が特に各々の搬送トラック（２２，２６）に設けられていることを特徴とする請求項１〜５のいずれかに記載のスライシング装置。
【請求項７】
搬送装置（１４）は、供給方向（Ｚ）で補充装置（１２）よりも長さが短いことを特徴とする請求項１〜６のいずれかに記載のスライシング装置。
【請求項８】
移動装置（３４）は、複数の移動トラック（４３）を有する廃棄装置（４２）を含み、移動トラック（４３）の数は、搬送トラック（２２，２６）の数に対応し、移動トラック（４３）は、互いに独立して制御可能であることを特徴とする請求項１〜７のいずれかに記載のスライシング装置。
【請求項９】
移動装置（３４）は、異なる搬送トラック（２２，２６）からのポーション（３８）を一緒に案内するように設けられた分配装置（４８）を含むことを特徴とする請求項１〜８のいずれかに記載のスライシング装置。
【請求項１０】
特に高性能のスライサであるスライシング装置を使用して、特に食品である製品（１０）を連続的にスライスする方法であって、スライシング装置は、
製品のスライスを切り落とすための特に円形刃または鎌様の刃を有する少なくとも１つのスライシングユニット（１８）と、
スライシングユニット（１８）に製品（１０）をマルチトラック式に供給する供給装置（８）と、
少なくとも１つの切り落とされた製品スライスをそれぞれ含むポーション（３８）を移動させる移動装置（３４）と、を備え、
供給装置（８）は、
少なくとも１つの製品（１０）を受け取るように設けられているとともに、全体として補充位置と供給位置との間で調整可能な補充装置（１２）と、
供給方向（Ｚ）から見て補充装置（１２）の下流に接続されるとともに、少なくとも２つの搬送トラック（２２，２６）を有する少なくとも１つの搬送装置（１４）と、
特にほぼ同時に、１つの搬送トラック（２２，２６）における製品スライスの切り落としが中断されるとともに、他の搬送トラック（２２，２６）における製品スライスの切り落としが開始されることにより、ポーション（３８）が連続的に生産されるように、搬送トラック（２２，２６）を互いに独立して制御するよう設けられた制御装置と、を含み、
前記方法は、
第１の搬送トラック（２２）に第１の製品（２０）を供給し、
第１の製品（２０）が補充装置（１２）の領域を少なくとも実質的に出たときに補充装置（１２）を補充位置に調整し、
補充装置（１２）に少なくとも１つの第２のまたは他の製品（２４）を補充し、
補充装置（１２）を供給位置に調整し、
第２のまたは他の製品（２４）を第２のまたは他の搬送トラック（２６）に供給すること、を含む方法。
【請求項１１】
複数の補充トラック（２２’，２６’）を含む補充装置（１２）への第２のまたは他の製品（２４）の補充は、第１の製品（２０）の補充トラック（２２’）とは異なる補充トラック（２６’）で行われることを特徴とする請求項１０記載の方法。
【請求項１２】
単一の補充トラック（２２’）を含む補充装置（１２）の補充後に、補充装置（１２）は、第２の製品（２４）が第２のまたは他の搬送トラック（２６）へと移動するように、供給方向（Ｚ）に対して横向きに調整されることを特徴とする請求項１０記載の方法。
【請求項１３】
特に複数の補充トラック（２２’，２６’）を含む補充装置に、少なくとも２つの製品（１０）が補充されて供給位置に調整され、他方の製品（１０）の製品スライスの切り落としが開始される前に一方の製品（１０）が先にスライスされ、他方の製品（１０）が少なくとも実質的に補充装置（１２）の領域を出たときに補充装置（１２）が補充位置に調整されることを特徴とする請求項１０または１１に記載の方法。
【請求項１４】
第１の製品（２０）が完全にスライスされる前に、第２のまたは他の製品（２４）の製品前方端部が特にスライシングユニット（１８）によって切り落とされることを特徴とする請求項１０〜１３のいずれかに記載の方法。
【請求項１５】
製品前方端部を切り落としたときに生じる製品の切れ端（４０）は、トラックにそれぞれ設けられた廃棄装置（４２）によって移動装置（３４）から廃棄されることを特徴とする請求項１４記載の方法。
【請求項１６】
異なる搬送トラック（２２，２６）からのポーション（３８）が、分配装置（４８）を用いて一緒に導かれることを特徴とする請求項１０〜１５のいずれかに記載の方法。
【発明の詳細な説明】
【技術分野】
【０００１】
本発明は、製品、特にソーセージ、ハム、チーズ等の食品を連続的にスライスする装置及び方法に関する。
【背景技術】
【０００２】
スライシング装置、特に盛り合わせ用のスライシング装置は、好ましくは高性能のスライサである。スライシング装置は、特に製品のスライスを切り離す回転する円形刃または鎌様の刃、あるいは遊星運動で回転する刃を備える少なくとも１つのスライシングユニットと、スライシング装置に製品をマルチトラック式に供給する供給装置と、を有する。供給装置は、補充ピニオンとも呼ばれる補充装置を含み、この補充装置は、少なくとも１つの製品を受け入れるように設けられているとともに、補充位置と供給位置との間で調整可能である。補充装置は、補充位置では、特に水平に方向づけることができ、供給位置では、斜めに、好ましくは切断面に対して垂直に配置することができる。スライシング装置は、さらに、少なくとも１つの切り離された製品スライスをそれぞれ含むポーションを移動させる移動装置を有する。
【０００３】
このようなスライシング装置は、一般的に知られている。従来のスライシング装置では、新しい製品の補充により製品の流れが中断し得るという不都合がある。このような中断は、移動装置の下流にパッケージング機械が接続されている場合に特に不都合である。スライスされる製品が短ければ短いほど、補充装置に新しい製品を投入しなければいけない頻度が高くなる。すなわち、比較的短い製品では、中断の割合が比較的高い。製品の種類を変更するときも新たに補充が必要となるため、異なる種類の製品の加工でも同様である。製品の長さが異なることにより、補充時に個々のトラックに応じた必要条件も生じ得る。個々のトラックに応じた補充の必要条件は、より高いランキング周期でしか判断できず、できたとしても困難である。
【０００４】
製品の流れの中断により、特にスライシングユニットの下流に接続された運搬及び／または仕分けラインの領域において緩衝装置の使用が必要になる。供給装置、スライシングユニット及び移動装置を含む設備の全長は、緩衝装置によって延長される。しかし、設備は要求される衛生のために典型的に閉鎖された部屋で運転されるものであり、既存の機械的作業や設備部分に組み込むことがより困難になり得るため、設備の寸法は問題となり得る。
【０００５】
特許文献１は、ポーションを連続的に生産する装置及び方法を開示している。特許文献１では、複数の食品をスライスするために個別のトラックが各食品毎に設けられており、食品は個別のトラックに沿って刃に向かって運搬される。各々のトラックは、他のトラックから独立して補充位置から供給位置に調整可能となっている。
【先行技術文献】
【特許文献】
【０００６】
【特許文献１】ドイツ特許出願公開第１０２０１２１０９２４７号明細書
【発明の概要】
【発明が解決しようとする課題】
【０００７】
この装置では、刃への正確な製品供給のために搬送装置を含む対応するトラックの全長の調整が重要であり、この点で不都合である。対応するトラックの自立的な運転のための技術的な手段を、トラックの全長にわたって供給位置及び補充位置の両方に設ける必要がある。よって、搬送手段は、トラックの全長に沿って延在する。各々のトラックは、さらに昇降装置を要する。
【０００８】
加えて、搬送手段と刃との間に間隔が生じるので、組み立て及びアクセスのしやすさに関して、回転中心位置と共に切断平面の近傍で受けることが困難になる。
【０００９】
さらに、搬送手段が刃または切断端部から補充領域まで連続するため、従来の方法では刃の上流の端部片を取り除くことができない。
【００１０】
上流に供給装置が含まれ、製品が垂直に移動可能な個々のトラックに入る前に横向きのトラックとも関連する場合には、機械装置が全体として比較的長くなる。
【００１１】
よって、本発明の目的は、従来の不都合を伴わない、製品をスライスする装置及び方法を提供することである。
【００１２】
この目的は、独立項の特徴を有する装置及び方法によって達成される。
【課題を解決するための手段】
【００１３】
本発明によれば、補充装置は、全体として補充位置と供給位置との間で調整可能である。補充装置の全ての補充トラックは、特に一緒にしか調整できない。このような補充装置は、個々に調整可能な補充トラックを有する補充装置に比べてかなり安価に製造及び保守が可能である。
【００１４】
供給装置は、供給方向から見て補充装置の下流に接続され、少なくとも２つの搬送トラックを有する少なくとも１つの搬送装置を含む。搬送トラックの数は、一般に所望の通りである。例えば、２つの搬送トラックが設けられている場合には、一方の搬送トラックで製品がスライスされ、他方の搬送トラックが補充される。２つ以上の搬送トラックでは、製品は少なくとも１つの搬送トラックでスライスされ、少なくとも１つの他のトラックが補充可能である。
【００１５】
移動装置の移動トラックの数も、一般に所望の通りである。移動トラックの数は、好ましくは搬送トラックの数に対応する。これは、スライシングユニットによる切り落とし後に切り落とされた製品スライスが移動する領域である。移動トラックの数は、切り落とされたスライスがポーションを形成するように組み合わされるポーショニング領域の後に特に少なくとも１つの移動トラックを設けることによって減少させることができる。例えば、４つの搬送トラックを設けることができ、ポーショニング領域の後で３つの移動トラックを設けることができる。
【００１６】
部分ポーションは、例えば、異なる搬送トラックからの部分ポーションと一緒に導かれて共通のポーションを形成するものである。これは、特に搬送トラック上の製品が完全なポーションを形成するのに充分でない場合である。形成された部分ポーションには、例えば、異なる搬送トラックからの製品スライスや部分ポーションを追加することができる。
【００１７】
本発明によれば、搬送装置は、補充装置とは同一でない。搬送装置は、好ましくはスライシングユニットの直前に配置可能であるかまたは配置される。搬送装置は、特にスライシング作業のときに製品供給物を供給し得る。この点で、搬送装置がスライシングユニット、好ましくは円形刃または鎌様の刃のできる限り近くに到達することが特に有利である。これにより、特に製品の端部領域がしっかりと保持されて搬送される。
【００１８】
搬送装置は、好ましくは補充装置とは独立して作動する。これにより、補充装置は、特に搬送装置に影響を及ぼさずに、搬送装置に対して少なくとも実質的に水平な補充位置と傾斜した供給位置との間で調整可能となる。搬送装置自体は、好ましくは恒久的に傾斜した位置に配置される。よって、搬送装置は、特に恒久的に供給位置にある。
【００１９】
供給装置は、特にほぼ同時に、例えば、最大２，１，０．５，０．２５または０．１秒以内に、製品スライスの切り落としが１つの搬送トラックで中断されるとともに、製品スライスの切り落としが異なる搬送トラックで開始されることにより、ポーションが連続的に生産されるように、搬送トラックを互いに独立して制御する制御装置を含む。
【００２０】
供給装置は、特にまたは選択的に、異なる搬送トラックで製品スライスの切り落としが開始される前に、所定の基準が満たされるまで製品が１つの搬送トラックで切り落とされることにより、ポーションが連続的に生産されるように、搬送トラックを互いに独立して制御する制御装置を含む。基準は、例えば、製品が完全にスライスされたときに満たされる。基準は、特定の製品領域への到達に関連してもよい。領域としては、例えば、均一の製品スライスを生産できない特定の外形及び／または構造を有する、例えば、脂肪を含む領域や不規則な形状の領域が考えられる。基準は、特に製品の端部領域に到達したときに満たされ得る。
【００２１】
この点で、残部の最初の切り落としまたはスライシングは、製品スライスの切り落としに相当しない。特に完全なスライスのみが、ポーションを形成する適切な製品スライスであるとみなされる。
【００２２】
従って、製品のスライシングは、好ましくは、異なる搬送トラックで次の製品のスライシングが始まる前に、製品が完全にスライスされたときに初めて中断される。その意味では、製品は個々のトラックに供給され、交互に、特に完全に搬送トラック上でスライスされる。
【００２３】
従来技術とは異なり、本発明による一体として枢軸運動可能な補充装置は、単一の昇降または枢軸運動装置を用いて全ての搬送トラックに供給を行う。これにより、垂直方向への移動に個々のトラックを使用する手段に対して、組み立てに要する労力が実質的に減少する。
【００２４】
本発明によれば、先の製品が搬送装置によってスライシングユニットに供給されてスライスされているときに、新たな製品を補充装置に補充することができる。新たに配置された製品は、他の製品から独立して供給位置に持って行くことができ、他方の搬送トラック上の先の製品のスライシング工程が中断されるとすぐに新たな製品がスライス可能となる。
【００２５】
このように、少なくとも１つの製品を永続的にスライスすることができる。スライシングユニットの観点からは、いわばマルチトラック式の製品供給を用いた改善されたシングルトラック運転である。これにより、緩衝ラインをかなり短くするか完全になくすことができる。よって、設備全体を比較的コンパクトにすることが可能である。
【００２６】
製品の流れとして中断なくパッケージング機械に供給されるポーションは、続いて製品から連続的に切り落とされる製品スライスによって形成可能である。
【００２７】
本発明による装置及び方法は、特に異なる種類の食品や短い製品の食品のスライシングに有利であり、これは、このような食品では補充による中断が典型的に比較的頻繁に発生し、搬送の流れがよく中断されて追加の手段を講じて均質化する必要があるためである。
【００２８】
本発明のさらなる展開は、従属項、実施形態及び添付図面に開示されている。
【００２９】
一実施例によれば、補充装置は、少なくとも実質的に少なくとも１つの搬送トラックの幅にわたって延在し、製品を所定の搬送トラックに運ぶように設けられている。
【００３０】
所定の搬送トラックは、好ましくは特定の基準を満たし得る。この基準は、例えば、対応する搬送トラックに製品がない状態、すなわちさらなるスライシング作業のために製品が要求されている状態である。例えば、全てのトラックの摩耗を同等に保つとともに、または切刃の周辺でいくらか均質化するために、搬送トラックに製品を交互にできるだけ均一に補充するという規定も設けることができる。または、例えば、搬送トラックの保守または清掃のために個々の搬送トラックに製品を少なくとも一次的に補充しないこともできる。
【００３１】
従って、製品は、補充装置上の正しい位置にあれば、補充装置を介して特定の搬送トラックによって例えば供給方向のみに搬送され得る。しかし、補充装置上に位置する製品を対応する搬送トラックに運ぶために横向きの移動もさらに可能である。
【００３２】
さらなる実施例によれば、補充装置は、少なくとも実質的に全ての搬送トラックの幅にわたって延在する。補充装置は、所定の搬送トラックまで製品を運ぶように設けられている。
【００３３】
補充装置は、この点で、特に供給方向でのみまたは供給方向及び横方向の両方で調整することができる。例えば、長手方向軸を中心として補充装置を傾斜させることもさらに可能である。補充装置に配置された製品は、いわば補充装置の所定の側で滑り落ちる。
【００３４】
補充装置は、好ましくは、搬送装置の全幅にわたって延在する単一で幅広の搬送ベルトを含む。代わりに、補充装置は、摺動面を備えるか、ベルト型のものとすることができ、これらの場合には製品ホルダが個々のトラックに供給物を供給できるようになっている。
【００３５】
さらなる実施例によれば、補充装置は、複数の補充トラックを含む。補充トラックの数は、一般に所望の通りである。補充トラックの数は、好ましくは搬送トラックの数に対応する。本発明では、トラックという用語は広く解釈されるべきである。個々のトラックは、互いに物理的に分離している必要はない。従って、補充装置は、特に単一の幅広の搬送ベルトであって、少なくとも２つの製品を並んで配置するスペースを有する搬送ベルトを含むこともできる。この点では、製品のために提供される領域をトラックと考えることができる。
【００３６】
補充装置が、例えば搬送装置の全幅にわたって延在する単一の幅広のベルトを含む場合には、この幅広の搬送トラックは、さらに複数の補充トラック、すなわち異なる製品のための領域を有し得る。製品は、補充時に、関連する搬送トラックの延長に対応する特定の補充トラック上に配置またはこの上で搬送することができる。このような製品は、結果として、例えば補充装置の横方向の調整なしで対応する搬送トラックに直接供給可能である。
【００３７】
さらに、製品は、所望の補充トラック上に配置またはその上で搬送することができる。補充装置、特に補充装置の搬送ベルトは、例えば、続いて長手方向軸を傾けることができ、または製品が特定の補充トラック上または最終的に特定の搬送トラック上に移動するように供給方向に対して横向きに調整することができる。この点について、補充装置は、特に長手方向及び横方向に移動可能な搬送装置を含み得る。
【００３８】
選択的に、補充トラックは、特に互いに独立して制御することができる。この場合に、補充装置は、さらに複数の補充トラックに物理的に分割される。補充トラックは、例えば、制御装置を用いて個々に制御可能な個別の搬送ベルトによってそれぞれ構成することができる。
【００３９】
補充トラックの搬送速度は、この補充トラックに配置された製品の移動中に対応する搬送トラックの搬送速度と一致してもよい。対応するトラックは、製品が補充装置から搬送装置へと中断なく移動するように、特に互いに対して循環し得る。
【００４０】
別の実施例によれば、補充装置は、供給方向に対して横向きに調整可能な単一の補充トラックを含む。この点に関して、補充装置は、少なくとも搬送トラックと同じ幅を有し、シングルトラック設計のみが可能である。単一の補充トラックは、製品が関連する搬送トラックまで移動するように横方向に調整できる。よって、横向きに調整可能な補充装置は、供給側において、特に横向きに移動可能な領域上の所望の位置で製品を受け取ることもできる。
【００４１】
さらなる実施例によれば、搬送装置は、摺動面、受動的な搬送ベルト及び／または能動的な搬送ベルトを含み、特に製品ホルダが各々の搬送トラックに設けられる。端部片のためのグリッパ及び上方から製品に作用する牽引ベルトが、例えば、特に製品の端部領域を案内するこのような周知の手段に含まれる。よって、製品供給は、例えば、少なくとも１つの製品ホルダによってなされる。この点では、搬送装置は、スライシング工程へ製品を送り込むように機能する。
【００４２】
搬送装置は、所望の設計の支持部を含み得る。これは、特に摺動面とすることができる。この点に関して、製品は、例えば、製品ホルダ及び／または上方の牽引装置によって摺動面上を移動され得る。
【００４３】
受動的な搬送ベルト、すなわち駆動されない搬送ベルトを代わりに設けることができる。この場合、製品は、例えば製品ホルダ及び／または上方の牽引装置によって搬送ベルト上をスライシングユニットまで移動され得る。
【００４４】
製品をスライシングユニットまで移動させる能動的な搬送ベルト、すなわち駆動される搬送ベルトも考えられる。この点で、製品ホルダ及び／または上方の牽引装置を、製品の移動のためにさらに設けることができる。
【００４５】
製品ホルダは、好ましくは、製品の端部領域に係合するグリッパとして構成される。これにより、ほぼ完全にスライスされた製品であっても安定させてスライシングユニットに確実に供給することができる。残る残部は、続いてグリッパから取り除くことができる。
【００４６】
さらなる実施例によれば、搬送装置は、供給方向で補充装置よりも長さが短い。搬送装置は、特に最大で補充装置の長さの６０％、５０％または４０％の長さを有し得る。搬送装置の長さは、好ましくは最大で７００ｍｍ、６００ｍｍ、５００ｍｍ、３５０ｍｍまたは３００ｍｍである。よって、搬送装置は、特にスライスされていない製品よりも短い場合がある。
【００４７】
さらなる実施例によれば、移動装置は、複数の移動トラックを有する廃棄装置を含み、移動トラックの数は搬送トラックの数に対応し、移動トラックは互いに独立して制御可能である。よって、製品の前方端部の切り落としによって発生する製品の切れ端は、例えば、個々のトラック上で廃棄することができる。廃棄装置は、例えば、ロッカー及び／または供給方向とは反対に移動可能な搬送ベルトとすることができる。
【００４８】
さらなる実施例によれば、移動装置は、異なる搬送トラックからのポーションや製品スライスを一緒に導くように設けられた分配装置を含む。異なる搬送トラックでスライスされた製品スライスは、ポーションとしてグループ化することができ、続いて連続的な製品の流れまたはポーションの流れを確実に提供するために、例えばパッケージング装置へと一緒に導かれる。分配装置は、例えば、２つの移動トラックを１つの移動トラックに導くことができ、または４つの移動トラックを２つの移動トラックに導くことができる。異なる移動トラックからの製品スライスまたは部分ポーションは、例えば多様なポーションを形成するように互いに重ねることができる。
【００４９】
本発明は、さらに、特に製品スライスを切り落とす円形刃または鎌様の刃を有する少なくとも１つのスライシングユニットを備える、スライシング装置、特に高性能のスライサを使用して、製品、特に食品を連続的にスライスする方法に関する。スライシング装置は、スライシングユニットにマルチトラック式に製品を供給する供給装置と、少なくとも１つの切り落とされた製品スライスをそれぞれ含むポーションを移動させる移動装置と、を含む。供給装置は、少なくとも１つの製品を受け取るように設けられ、全体として補充位置と供給位置との間で調整可能な補充装置と、供給方向で補充装置の下流に接続され、少なくとも２つの搬送トラックを有する少なくとも１つの搬送装置と、を含む。
【００５０】
第１の製品が、第１の搬送トラックに供給される。補充装置は、第１の製品が少なくとも実質的に補充装置の領域から出たときに補充位置に調整される。この点について、第１の製品は、例えば搬送装置の後方領域をいくらか超えて突出してもよい。
【００５１】
補充装置には、続いて少なくとも１つの第２の製品が補充され、第２の製品を含む補充装置全体が供給位置に調整される。第２の製品は、続いて第２の搬送トラックに供給される。
【００５２】
この方法は、所望の通りに反復または継続することができる。この点に関して、用語としては、第２の製品が第１の製品となり、新たな製品が第２の製品となる。
【００５３】
作業サイクルの始め、すなわちスライシング工程の開始時に供給装置の運転を開始するときに、全ての製品から第１の切り落としを最初に取り除くことができるように１つ以上の搬送トラックに製品が補充されていてもよい。しかし、スライシング自体は、続いて連続的に行われる、すなわち製品のスライシングは他の製品をスライスし終わってから初めて開始される。補充は、この初期段階の後に、上述した工程に従って、すなわち次の製品がスライスされているときに新たな製品が補充装置に補充されることによって行われる。
【００５４】
さらなる実施例では、複数の補充トラックを含む補充装置への第２の製品の補充は、第１の製品の補充トラックとは異なる補充トラックで行われる。よって、製品は、特にスライスされている製品が現時点でなく、その延長部、すなわち対応する搬送トラックにもない補充トラックに補充される。よって、補充トラックへの補充は、好ましくは交互に行われる。
【００５５】
別の実施例では、単一の補充トラックを含む補充装置の補充後に、第２の製品が第２の搬送トラックまで移動するように補充装置は供給方向に対して横向きに調整される。結果として、さらなる製品を製品需要がある搬送トラックに移動させることができる。この点で、補充トラックは、関連する搬送トラックの延長部に対応するように横方向に調整される。
【００５６】
一実施例によれば、補充装置には、少なくとも２つの製品が補充されて供給位置に調整され、他方の製品からの製品スライスの切り落としが開始される前に、最初に一方の製品がスライスされる。他方の製品が補充装置の領域から少なくとも実質的に出たときに、補充装置は補充位置に調整される。好ましくは、複数の製品が常に一緒に補充装置に補充され、すなわち複数の補充トラックに製品が同時に配置される。製品は、一緒に供給位置に調整される。製品は、続いて、例えば完全にまたは所定の基準が満たされるまでスライスされる。特に製品の前方端部を除去するために、一方の製品がスライスされているときに他方の製品を予めスライシングユニットに供給することができる。または、一方の製品のスライスが終了した後、すなわち、例えば製品が完全にスライスされたか所定の基準が満たされたときにのみ他方の製品を供給してもよい。補充装置は、特に両方の製品が少なくとも実質的に補充装置の領域から出たときにのみ補充位置に調整される。
【００５７】
特に、または選択的に、２つの製品を常に補充装置上に載せて切断位置、すなわち供給位置まで上げることができ、第１の食品が先にスライスされてから第２の製品がスライシングユニットに供給される。続いて、補充装置は、第２の製品の少なくとも大部分が補充装置を出たときに次の補充のために下げられる。
【００５８】
さらなる実施例によれば、第２の製品の前方端部は、第１の製品が完全にスライスされる前に特にスライシングユニットによって切り落とされる。第２の製品は、これにより、第１の製品が完全にスライスされると既にスライシングの準備が整った状態となる。従って、第２の製品のスライシングを中断なく開始することができる。これにより、製品スライスまたはポーションが連続的に生産される。
【００５９】
さらなる実施例によると、製品の前方端部の切り落としによって発生する製品の切れ端は、廃棄装置によって個々のトラックで移動装置から廃棄される。よって、製品の実際のスライシングが開始される時点で、製品の切れ端は既に取り除かれている。このために、搬送方向で除去を行うように個々のトラックにわたって分割されたロッカーを設けることができる。一方、切り落とされた製品の残部を搬送方向とは反対方向で除去する場合には、個々のトラックにわたって分割されたポーショニングベルトを設けることが有利である。このポーショニングベルトは、特に反対方向に一次的に走行可能である。
【００６０】
さらなる実施例によれば、異なる搬送トラックからのポーションが分配装置を用いて一緒に導かれる。よって、２つまたはそれ以上の搬送トラックからのポーションが、例えば、単一の移動トラックに運ばれる。これにより、中断のない連続的な製品の流れが確実に得られる。
【００６１】
ポーションは、例えば部分ポーション、すなわち他の部分ポーションとともに導かれて完成される所望のポーションの不完全なものとすることができる。計１０枚の製品スライスを含むポーションは、例えば、製品の最後の６枚のスライスと次の製品の最初の４枚のスライスから形成可能である。異なる搬送トラックの製品スライス及び／またはポーションは、特に重なるように配置できる。
【００６２】
さらに、切断ヘッドの調整、特に垂直方向及び／または横方向の調整を行うこともできる。切断ヘッドの調整は、一方または他方のトラックの切断動作により、例えば切刃、特に刃先の取付角が製品に対して理想的でない場合が生じるので有利である。刃の位置は、好ましくは、トラックの変換の前の変更段階で最適化される。よって、切断ヘッドの調整は、例えば、製品から最後のポーションを形成した後に行うことができる。この点について、例えば、上記最後のポーションまたは他方のトラックの第１のポーションを移動させるために空の切断動作を使用することができる。これにより、特に空の切断動作中に調整が徐々に達成される。
【００６３】
本明細書で説明した全ての実施例は、特に本明細書で説明した方法に従って動作するように構成されている。さらに、本明細書で説明した装置及び方法の全ての実施例は、それぞれ互いに組み合わせることができる。
【００６４】
図面を参照して、本発明を以下に例示的に説明する。
【図面の簡単な説明】
【００６５】
【図１Ａ】本発明に係るスライシング装置の供給装置の第１の実施例の概略平面図である。
【図１Ｂ】本発明に係るスライシング装置の供給装置の第１の実施例の概略側面図である。
【図２Ａ】本発明に係るスライシング装置の供給装置の第１の実施例の概略平面図である。
【図２Ｂ】本発明に係るスライシング装置の供給装置の第１の実施例の概略側面図である。
【図３Ａ】本発明に係るスライシング装置の供給装置の第１の実施例の概略平面図である。
【図３Ｂ】本発明に係るスライシング装置の供給装置の第１の実施例の概略側面図である。
【図４Ａ】本発明に係るスライシング装置の供給装置の第１の実施例の概略平面図である。
【図４Ｂ】本発明に係るスライシング装置の供給装置の第１の実施例の概略側面図である。
【図５】本発明に係るスライシング装置の供給装置の第２の実施例の概略平面図である。
【図６】本発明に係るスライシング装置の供給装置の第３の実施例の概略平面図である。
【図７】本発明に係るスライシング装置の移動装置の第１の実施例の概略平面図である。
【図８】本発明に係るスライシング装置の移動装置の第２の実施例の概略平面図である。
【図９Ａ】本発明に係るスライシング装置の供給装置の第４の実施例の概略平面図である。
【図９Ｂ】本発明に係るスライシング装置の供給装置の第４の実施例の概略側面図である。
【発明を実施するための形態】
【００６６】
まずは、開示された実施例は、単に例示的なものであることに留意されたい。図示されたトラックや搬送ユニットの数は、特に変動し得る。実施例の特徴は、所望の通りに他の実施例の特徴と組み合わせることができる。所望の供給装置は、特に所望のどの移動装置と組み合わせてもよい。
【００６７】
スライシング装置の供給装置８が、図１Ａ〜図４Ｂに示されている。供給装置８は、搬送される製品を代表する食品の塊１０をマルチトラック式に供給するように設けられている。
【００６８】
供給装置８は、広幅のベルトコンベヤ１２として構成された補充装置と、互いに独立して制御可能な２つの搬送ベルト１６を有する搬送装置１４と、を含む。
【００６９】
切断面のみが破線で示されたスライシングユニット１８が搬送装置１４に隣接する。スライシングユニット１８は、用途によって、１つまたは複数の切刃、特に円形刃または鎌様の刃を備え得る。異なる種類の製品１０がスライスされる場合、個々の製品の種類に対して特に異なる切刃を使用することができる。
【００７０】
補充装置１２と搬送装置１４の両方が、それぞれ２つのトラック、すなわち部分領域に分割される。図１Ａでは、第１の製品２０が、搬送装置１４の第１の搬送トラック２２に配置されている。また、第２の製品２４が、第１の搬送トラック２２とは別の補充装置１２の第２の補充トラック２６’に配置されている。対応する製品ホルダ２８が、両方の製品の端部と係合する。
【００７１】
図１Ａに示すように、ベルトコンベヤ１２は、搬送装置１４とほぼ同じ幅を有する。搬送装置１４の搬送ベルト１６は、ベルトコンベヤ１２よりもかなり短い。図１Ｂの側面図で見られるように、搬送ベルト１６は、恒久的に斜めに設置されており、スライシングユニット１８の切断面に対して直角を成している。その一方、ベルトコンベヤ１２は、水平な補充位置から斜めの供給位置に調整可能である。
【００７２】
第１の搬送トラック２２の第１の製品２０が供給方向Ｚでスライシングユニット１８に供給されているときに、第２の製品２４が第２の補充トラック２６’のベルトコンベヤ１２に配置される。この点で、ベルトコンベヤ１２は、補充位置に設けられている。食品の塊１０は、この方法でベルトコンベヤ１２に常に配置することができる。どちらの補充トラック２２’，２６’が補充されるかの選択は、搬送装置１４の需要による。基本的には、補充トラック２２’，２６’は、このように常に補充され、下流に接続された搬送ベルト１６の対応する搬送トラック２２，２６に先の食品の塊１０が既に配置されておらず、製品ホルダ２８が上流方向に再度後退している場合に、製品１０が補充トラック２２’、２６’から搬送トラック２２，２６に搬送され得る。
【００７３】
図２Ａ，図２Ｂでは、ベルトコンベヤ１２は、補充位置から供給位置に調整されている。第２の補充トラック２６’及び第２の搬送トラック２６上の第２の製品２４は、制御装置（図示省略）によってベルトコンベヤ１２及び搬送ベルト１６を用いて供給方向Ｚでスライシングユニット１８へ搬送可能となっている。
【００７４】
第１の製品が引き続きスライスされているときに、第２の製品の先端部が切り落とされる。これにより、第２の製品２４は、完全な製品のスライスが切り落とされる実際のスライシング工程のために準備される。
【００７５】
図３Ａ及び図３Ｂに示すように、第２の製品２４の実際のスライシング工程は、第１の製品２０が完全にスライスされたときに初めて開始される。これにより、連続した製品の流れが得られる。
【００７６】
第１の製品の残部は、グリッパ２８から取り除くことができる。製品の残部は、例えば、補充装置１２と搬送装置１４との間の間隙を通して下方に取り除くことができる。
【００７７】
ベルトコンベヤ１２は、再度供給位置から補充位置に調整可能となる。これは、製品ホルダ２８によって案内された食品の塊１０の端部領域がベルトコンベヤ１２の領域をいくらか超えて突出するときにもなされ得る。
【００７８】
図４Ａ，図４Ｂでは、第２の製品２４が第２の搬送トラック２６上でスライスされているときに、第３の製品３０がベルトコンベヤ１２の第１の補充トラック２２’に補充される。
【００７９】
従って、本発明によれば、１つの食品の塊１０のスライシング工程の終了後に、実質的な中断なく、次の食品の塊１０のスライシングへの切換えが可能となる。
【００８０】
ベルトコンベヤ１２の補充は、手動または自動で行うことができる。手動による補充では、新しい食品の塊１０を配置すべき補充トラック２２’，２６’の側が、例えば、金属製ガイドシート、フラップ及び／またはシールド等の機械的補助手段、及び／または表示装置等の視覚的な補助手段によってオペレータに示される。補充装置１２の上流に接続された補充テーブルへの製品の手動による補充及び配置は図示されていないが、同様の方法で実行され得る。上述した補助手段も、このために使用できる。
【００８１】
自動的な補充は、例えば、図５に示す装置によって実現可能である。供給される食品の塊１０は、２つの送込みベルト３２を介して所望の補充トラック２２’，２６’に供給できる。図示省略の供給ベルトを、送込みベルト３２の前に配置することができ、食品の塊１０は一般にマルチトラック式に送込みベルト３２まで搬送可能である。食品の塊１０は、例えば、皮剥ぎ機械から出てきてもよく、手動で送込みベルト３２に配置されてもよい。
【００８２】
図６によれば、分配はベルトコンベヤ１２のみによって行われる。ベルトコンベヤ１２は、この点で調整方向Ｒで横向きに移動可能である。ベルトコンベヤ１２に配置された食品の塊１０は、これによりトラックの需要に応じて第１の搬送トラック２２または第２の搬送トラック２６に供給され得る。食品の塊１０は、ベルトコンベヤ１２に直接配置されるか、上流に接続された搬送ベルト３３を利用して供給される。上流に接続された搬送ベルト３３は、例えば、機械の長手方向軸と平行に移動させることができ、ベルトコンベヤ１２を必ずしも中心に制御する必要はない。補充装置１２の横からの補充は、搬送ベルト３３がその側面に横方向から到達して食品の塊１０がここから移されるときに同様に考えられるが、図では省略されている。
【００８３】
補充装置１２は、補充装置１２のフレームに対して全体として調整することができる。または、例えば、横方向に移動可能なシャフト、ベルトまたは搬送ベルトユニットの個別の構成要素のみを調整することもできる。横方向の移動は、好ましくは補充位置で行われる。
【００８４】
さらに、平行な横方向のガイドが、好ましくは考えられる。食品の塊１９を、これらのガイドの間に配置してから、例えば、要求がある搬送トラック２２，２６と横方向で一致してその前方に位置する補充装置１２の比較的滑らかな面の上に移動または移すことができる。
【００８５】
または、食品の塊１０を固定して横向きに移動させるためのバンド様の補充装置１２が考えられる。
【００８６】
本発明によるスライシング装置が図７に示されており、このスライシング装置は、供給装置８、スライシングユニット１８及び移動装置３４を有する。移動装置３４は、シングルトラック、デュアルトラックまたはマルチトラック設計とすることができるポーショニングベルト及び／または制御ベルトを含み得る。別個の計量ベルトを有するポーショニング／計量装置３６がスライシングユニット１８から後に続くデュアルトラックの変形例が示されている。両方のトラックに共通の計量ベルトも考えられる。特に、ポーショニング／計量装置３６を用いて、ポーション３８を形成する完全な製品スライス及び／またはポーション３８が切り離されたか製品の切れ端４０のみかを判断することができる。製品の切れ端４０が切り離された場合、製品の流れまたはポーションの流れから特に下流に接続されたロッカーである廃棄装置４２によって廃棄することができる。製品の切れ端４０の廃棄にロッカーが使用される場合には、独立した移動トラック４３に配置することができる。
【００８７】
新たな製品１０の製品前方端部は、先の製品がまだスライスされているときにこのように予め切り落とすことができる。
【００８８】
ポーショニング／計量装置３６がトラック間を横向きに移動可能に形成されている場合には、第１のトラックで形成された不完全なポーションをスライス作業が開始される隣接するトラックで完成させることもできる。
【００８９】
図８には、スライシングユニット１８の下流に設けることが可能なさらなる設備が示されている。分配装置として交差分配機４８がポーショニングベルト４４及び制御ベルト４６に続いて配置される。マルチトラック式の製品の流れまたはポーションの流れは、例えば、交差分配機４８を用いて一緒に単一の移動トラック４３に導かれ得る。
【００９０】
交差分配機４８によって、パッケージング機械または搬送点、例えばフィーダまでの連続的な搬送流れを維持することができる。
【００９１】
製品の切れ端４０の廃棄は、図８の装置では、実際の搬送方向とは反対にポーショニングベルトを駆動することによって実行される。よって、トラックとそれぞれ関連するポーショニングベルト４４が分割された実施例により、１つのトラックでスライシングが実行されている間に他のトラックで製品の切れ端４０を取り除くことができる。
【００９２】
図９Ａ，図９Ｂには、４つの平行なトラックを有する供給装置８が示されている。製品１０は、スライシングユニット１８の搬送装置１４に供給されてスライスされる。これらの製品１０が一旦少なくとも実質的に補充装置１２の領域から出て、製品１０が少なくとも１つの搬送トラック２２，２６で完全にスライスされ、かつ搬送トラック２２，２６が空になると、送出しベルト３２から新しい製品１０を受け取るために補充装置１２を補充位置に調整することができる。
【符号の説明】
【００９３】
８…供給装置
１０…食品の塊、製品
１２…ベルトコンベヤ、補充装置
１４…搬送装置
１６…搬送ベルト
１８…スライシングユニット
２０…第１の製品
２２…第１の搬送トラック
２２’…第１の補充トラック
２４…第２の製品
２６…第２の搬送トラック
２６’…第２の補充トラック
２８…製品ホルダ
３０…第３の製品
３２…送出しベルト
３３…搬送ベルト
３４…移動装置
３６…ポーショニング／計量装置
３８…ポーション
４０…製品の切れ端
４２…廃棄装置
４３…移動トラック
４４…ポーショニングベルト
４６…制御ベルト
４８…交差分配機、分配装置
Ｚ…供給方向
Ｒ…調整方向
【図１Ａ】
0006564042.tif 000002
【図１Ｂ】
0006564042.tif 000003
【図２Ａ】
0006564042.tif 000004
【図２Ｂ】
0006564042.tif 000005
【図３Ａ】
0006564042.tif 000006
【図３Ｂ】
0006564042.tif 000007
【図４Ａ】
0006564042.tif 000008
【図４Ｂ】
0006564042.tif 000009
【図５】
0006564042.tif 000010
【図６】
0006564042.tif 000011
【図７】
0006564042.tif 000012
【図８】
0006564042.tif 000013
【図９Ａ】
0006564042.tif 000014
【図９Ｂ】
0006564042.tif 000015